(57)【要約】【解決手段】一対多ワイヤレス通信システムには、音声パケットを例えばＣＤＭＡでＩＰベースインフラストラクチャ中の基地局に送信する送信電話機が含まれる。基地局はＣＤＭＡパケットをＩＰに変換して、それらをインフラストラクチャを通して通信マネージャーに送信し、通信マネージャーはグループ中の受信電話機が必要なだけパケットを何回もコピーして、受信者のＩＰアドレスを使用し、インフラストラクチャを通してＩＰパケットを返信する。ＩＰパケットを受信する基地局はそれらを音声パケットに変換して、音声パケットを受信電話機に送信し、それにより電話機がＩＰをサポートする必要性をなくす。【選択図】図２
2004535729.tif 000002
【特許請求の範囲】
【請求項１】
一対多ワイヤレス電話機システムにおいて、
少なくとも１つのインフラストラクチャ構成要素と、
インフラストラクチャ構成要素と通信するためにインターネットプロトコル（ＩＰ）でカプセル化されていないワイヤレス電話機無線（ＯＴＡ）プロトコルを使用する少なくとも１つのワイヤレス送信電話機とを具備し、
インフラストラクチャ構成要素はＯＴＡ情報をＩＰ情報に変換し、ユーザグループのデータベースにアクセスする通信マネージャーにインフラストラクチャを通してＩＰ情報を送信し、通信マネージャーは送信電話機を含む少なくとも３つの電話機のグループ中における受信ワイヤレス電話機にＩＰ情報のコピーを送信し、
インフラストラクチャ構成要素または他の同様なインフラストラクチャ構成要素はＩＰ情報をＯＴＡ情報に変換し、ＯＴＡ情報を受信ワイヤレス電話機に送信するシステム。
【請求項２】
ＯＴＡプロトコルはコード分割多元接続（ＣＤＭＡ）エアーインターフェイスプロトコルである請求項１記載のシステム。
【請求項３】
インフラストラクチャ構成要素は基地局（ＢＴＳ）である請求項１記載のシステム。
【請求項４】
インフラストラクチャ構成要素はＯＴＡプロトコルパケットをＩＰパケットに変換する請求項１記載のシステム。
【請求項５】
インフラストラクチャ構成要素はＩＰパケットをＯＴＡプロトコルパケットに変換する請求項１記載のシステム。
【請求項６】
インフラストラクチャ構成要素はＩＰパケットをＯＴＡプロトコルパケットに変換する請求項４記載のシステム。
【請求項７】
少なくとも１つの送信ワイヤレス電話機と少なくとも２つの受信ワイヤレス電話機との間の一対多通信を可能にする方法において、
ＩＰベースプロトコルでカプセル化されていない音声パケットを送信電話機からインフラストラクチャに送信し、
インフラストラクチャにおいて少なくとも１つのＩＰベースプロトコルに音声パケットをカプセル化して、ＩＰベースプロトコルパケットにし、
少なくとも２セットのＩＰベースプロトコルパケットをインフラストラクチャを通して送信し、
ＩＰベースプロトコルパケットのセットから音声パケットを抽出し、
ＩＰベースプロトコルにカプセル化されていない音声パケットを受信電話機に送信することを含む方法。
【請求項８】
音声パケットはコード分割多元接続（ＣＤＭＡ）音声パケットである請求項７記載の方法。
【請求項９】
カプセル化の処理はインフラストラクチャ中の基地局（ＢＴＳ）によりなされる請求項７記載の方法。
【請求項１０】
抽出の処理は、インフラストラクチャ中の基地局（ＢＴＳ）によりなされる請求項７記載の方法。
【請求項１１】
ＩＰベースプロトコルパケットをコピーすることを含む請求項７記載の方法。
【請求項１２】
コピーする処理は通信マネージャーによりなされる請求項１１記載の方法。
【請求項１３】
電話機間の半二重通信を確立することを含む請求項７記載の方法。
【請求項１４】
一対多通信セッション中で使用するための電話機システムにおいて、
無線（ＯＴＡ）受信端点のグループを示し、それに向けられているＯＴＡ音声パケットを発生させる、少なくとも１つのＯＴＡ送信端点と、
ＯＴＡ音声パケットを受信し、それに応答してＩＰベースプロトコルパケットを出力する、少なくとも１つのＩＰ端点と、
ＩＰベースプロトコルパケットを受信し、ＯＴＡ受信端点のためにそれらを複製する、少なくとも１つの通信マネージャーとを具備し、
ＩＰベースプロトコルパケットは少なくとも１つのＩＰ端点に送信され、少なくとも１つのＩＰ端点はＩＰベースプロトコルパケットを受信し、ＯＴＡ受信端点への送信のためにそれに応答してＯＴＡ音声パケットを出力する電話機システム。
【請求項１５】
ＯＴＡ音声パケットはコード分割多元接続（ＣＤＭＡ）パケットである請求項１４記載のシステム。
【請求項１６】
ＩＰ端点と通信マネージャーとの間にパケットを送信するインフラストラクチャをさらに具備する請求項１４記載のシステム。
【請求項１７】
ＩＰ端点は基地局（ＢＴＳ）である請求項１４記載のシステム。
【請求項１８】
半二重通信は通信マネージャーにより確立される請求項１４記載のシステム。
【発明の詳細な説明】
【発明の分野】
【０００１】
本発明は一般的にワイヤレス電話機を使用して一対多の通信サービスを可能とすることに関する。
【発明の背景】
【０００２】
コード分割多元接続（ＣＤＭＡ）スペクトル拡散変調技術を使用して通信するワイヤレス電話機に限定されるものではないが、このようなワイヤレス電話機を使用して一対多の通信能力（“ディスパッチ”または“ネットブロードキャスト”とも呼ばれる）を提供することができる。このようなサービスの例は本譲受人のＱＣｈａｔ（登録商標）サービスであり、これは例えば、２０００年３月３日に出願された米国特許出願第０９／５１８，６２２号、２０００年３月３日に出願された０９／５１８，７７６号、および２０００年３月３日に出願された０９／５１８，９８５号で開示されており、これらすべては参照によりここに組み込まれている。ＱＣｈａｔサービスを使用することにより、ＣＤＭＡ電話機のユーザは電話機上のボタンを押下して、ネットワーク上で１人以上の他のＣＤＭＡ電話機ユーザに話しをするためのプライベート半二重ネットワークに相当するものを自動的に呼び出すことができる。“半二重”は、ボタンが下に保持されているときに、一度に１人の話者のみが話すことができることを意味する。ボタンが開放されるとき、ネットワーク中の他の話者は自己のトークボタンを押下して他の電話機と話すことができる。
【０００３】
前述したサービスは音声パケットを送信することに基づいており、音声パケットは標準インターネットプロトコル（ＩＰ）ベースのプロトコル内にカプセル化される。標準ＩＰベースプロトコルには、ＵＤＰ、ＩＰ、ＰＰＰ、ＲＴＰおよびＲＬＰが含まれ、これらはＣＤＭＡデータサービスで非音声データ（すなわちコンピュータデータ）を伝えるように設計されている。音声サービスとは対称的であるデータサービスでは、ワイヤレス電話機は本質的に、電話機にプラグインされているコンピュータに対するデータコンジットとして機能する。とにかく、ＱＣｈａｔの一対多通信能力は元々コンピュータデータを伝えるように設計されているＩＰベースサービスを使用して実現されていることを理解すべきである。
【０００４】
本発明が向けられている一対多音声サービス分野では、通信マネージャーとして知られているＣＤＭＡインフラストラクチャ内の構成要素は話者と受話者の特権を調停し、音声パケットを複製して、ネットワーク中に参加している他のワイヤレス電話機のＩＰアドレスに送信することにより、音声データを伝えるＩＰパケットを処理する。ＱＣｈａｔサービスは有効な一対多通信サービスであるが、本発明はサービスの待ち時間および音声品質を向上させることが可能であることを明らかにした。
【０００５】
特に、ＩＰ関連プロトコルは待ち時間（通信時間遅延）を増加させるある通信オーバーヘッドを導入することにより無線の信頼性を増加させる。増加した待ち時間は通常、コンピュータデータが送信されているときには何らかの欠点があったとしても多く表すことはないが、音声データを送信する電話機の能力に影響を与える。特に、単一のＩＰベースデータプロトコルユニットのオーバーヘッドが単一のＣＤＭＡ無線フレームの容量を越えるので、ＩＰベースデータプロトコルオーバーヘッドは、単一のＩＰベースデータプロトコルユニット中で複数の音声フレームを集めることにより償却しなければならず、これは音声送信に対して待ち時間を追加することになる。さらに、この追加的な待ち時間をユーザの許容可能なレベルに維持するために、ＣＤＭＡボコーダ（圧縮構成要素）を制限することにより音声パケットのサイズを減少させてそのピークレート以外のレートでデータをエンコードしなければならない。これは音声品質に悪影響を及ぼす。
【０００６】
さらにまた、ＱＣｈａｔサービスにＩＰの使用を要求すると、音声フレームをＩＰベースプロトコル内にカプセル化することを要求することにより、増加した処理要求がワイヤレス電話機に課せられる。例えば、ワイヤレス電話機は、ＩＰベースデータプロトコルユニット中で集められる多数の音声フレームにより指示される周波数でそのユニットを訓練しなければならない。上記重大な所見を心にとめて、本発明はここに開示されている解法を提供する。
【発明の開示】
【発明の概要】
【０００７】
１つの送信ワイヤレス電話機と少なくとも２つの受信ワイヤレス電話機との間の一対多通信を可能にする方法には、ＩＰベースプロトコルでカプセル化されていない音声パケットを送信電話機からインフラストラクチャに送信することが含まれる。方法には、インフラストラクチャにおいてＩＰベースプロトコル中に音声パケットをカプセル化してＩＰベースプロトコルパケットを、インフラストラクチャを通して送信されたものの少なくとも２つのコピーにすることが含まれる。“コピーを送信すること”は、別々のコピーを個々のアドレスに送信することだけではなく、単一コピーを２つ以上のエンティティにより監視されているマルチキャストアドレスに送信することを意味する。音声パケットはＩＰベースプロトコルパケットのコピーから抽出され、ＩＰベースプロトコルでカプセル化されずに受信電話機に送信される。
【０００８】
他の観点では、一対多通信セッションで使用するための電話機システムには、無線（ＯＴＡ）受信端点のグループを示し、受信者に向けられたＯＴＡ音声パケットを発生させるＯＴＡ送信端点が含まれる。ＩＰ端点はＯＴＡ音声パケットを受信し、それに応答してＩＰベースプロトコルパケットを出力する。通信マネージャーはＩＰベースプロトコルパケットを受信し、ＯＴＡ受信端点のためにそれらを複製する。そして、ＩＰベースプロトコルパケットは１つ以上の他のＩＰ端点に送信される。これらの他のＩＰ端点はＩＰベースプロトコルパケットを受信し、それに応答してＯＴＡ受信端点への音声パケットの送信のためにＯＴＡ音声パケットを出力する。
【０００９】
さらに他の観点において、一対多ワイヤレス電話機システムには、インフラストラクチャ構成要素、好ましくは基地局と、ワイヤレス送信電話機とが含まれ、ワイヤレス送信電話機はインターネットプロトコル（ＩＰ）にカプセル化されないＣＤＭＡのようなワイヤレス電話機無線（ＯＴＡ）プロトコルを使用して、インフラストラクチャ構成要素と通信する。インフラストラクチャ構成要素はＯＴＡ情報をＩＰ情報に変換し、ＩＰ情報をインフラストラクチャを通して通信マネージャーに送信する。次に、通信マネージャーはユーザグループのデータベースにアクセスしてグループ中の受信者を確認する。以下で説明するように、通信マネージャーはＩＰ情報のコピーをグループ中の受信ワイヤレス電話機に送信し、グループには送信電話機を含む少なくとも３つの電話機が含まれる。インフラストラクチャ構成要素または他の同様なインフラストラクチャ構成要素はＩＰ情報をＯＴＡ情報に変換し、ＯＴＡ情報を受信ワイヤレス電話機に送信する。
【００１０】
その構造および動作に関する本発明の詳細は、同じ参照番号が同様な部品に言及している添付図面を参照すると最も良く理解することができる。
【好ましい実施形態の詳細な説明】
【００１１】
最初に図１を参照すると、一般的に１０で示されるシステムが示されており、インターネットプロトコルを通しての音声（ＶＯＩＰ）をサポートしていない送信ワイヤレス通信デバイス１２と、同様にＶＯＩＰをサポートしていない複数のグループメンバー電話機１３との間の、ＩＰをサポートする電話インフラストラクチャ１４を通しての一対多通信を行う。“ＶＯＩＰをサポートしないこと”あるいは“ＩＰをサポートしないこと”は、デバイス１２、１３のいずれかがＩＰまたはＶＯＩＰ能力を持たないこと、あるいはそれらがこのような能力を持つが音声性能の改良のためにＣＤＭＡまたはＷＣＤＭＡのようなスペクトル拡散スキームのような標準無線（ＯＴＡ）音声プロトコル、あるいはこれらには限定されないがＴＤＭＡ、ＵＭＴＳ、ＴＤ−ＳＣＤＭＡなどのような他のワイヤレスプロトコルを使用してインフラストラクチャ１４と通信することを意味する。１つの制限されていない実施形態では、デバイス１２、１３は京セラ、サムソン、または他の製造者により作られた移動電話機であり、コード分割多元接続（ＣＤＭＡ）原理と、ＩＳ−９５Ａ、ＩＳ−９５Ｂ、ＵＣＤＭＡ、ＩＳ−２０００または他のものに限定されるものではないがこれらに規定されているようなＣＤＭＡ無線（ＯＴＡ）通信エアーインターフェイスプロトコルとを使用してインフラストラクチャ１４と通信する。
【００１２】
例えば、先に着目したものに加えて本発明を適用することができるワイヤレス通信システムには、アナログ最新移動電話システム（ＡＭＰＳ）のようなパーソナル通信サービス（ＰＣＳ）およびセルラシステムと、ＣＤＭＡ、時分割多元接続（ＴＤＭＡ）およびＴＤＭＡとＣＤＭＡとの両方の技術を使用するハイブリッドシステムのようなデジタルシステムとを含む。ＣＤＭＡセルラシステムは電気通信工業協会／電子工業協会（ＴＩＡ／ＥＩＡ）標準ＩＳ−９５に説明されている。組み合わされたＡＭＰＳおよびＣＤＭＡシステムはＴＩＡ／ＥＩＡ標準ＩＳ−９８で説明されている。他の通信システムは国際移動電気通信システム２０００／ユニバーサル移動電気通信システム（ＩＭＴ−２０００／ＵＭ）で説明され、これらはワイドバンドＣＤＭＡ（ＷＣＤＭＡ）、（例えばｃｄｍａ２０００  １ｘまたは３ｘ標準規格のような）ｃｄｍａ２０００、あるいはＴＤ−ＳＣＤＭＡとして言及されるものをカバーする標準規格である。
【００１３】
本発明は任意のワイヤレス通信デバイス１２に適用され、例示のためにデバイス１２は電話機であると仮定される。一般的に、本発明が適用されるワイヤレス通信デバイスには、これらに限定されないが、ワイヤレスハンドセットまたは電話機、セルラ電話機、データトランシーバ、あるいはページングおよび位置決定受信機が含まれ、望まれるようにハンドヘルド、あるいは（自動車、トラック、ボート、飛行機、列車を含む）ビークル搭載のようなポータブルとすることができる。しかしながら、ワイヤレス通信デバイスは一般的に移動体であるとして見られるが、本発明はある構成では“固定された”ユニットに適用することができることを理解すべきである。また、本発明は音声情報および／またはデジタル化ビデオ情報を含むデータ情報を伝送するのに使用されるデータモジュールまたはモデムに適用され、ワイヤまたはワイヤレスリンクを使用して他のデバイスと通信してもよい。さらに、コマンドを使用してモデムまたはモジュールが予め定められた調整されたまたは関連した方法で動作するようにして、情報が複数の通信チャネルを通して伝送されるようにしてもよい。ワイヤレス通信デバイスは、ときにはユーザ端末、移動局、移動ユニット、加入者ユニット、移動無線機または無線電話機、ワイヤレスユニット、あるいはいくつかの通信システムでは単に“ユーザ”および“移動体”として言及されることもある。
【００１４】
図１に示されているように、ワイヤレス電話機１２は先に言及した１つ以上のシステムを使用して、本発明のロジックを実行するロジックモジュールにアクセスする少なくとも１つの第１のインフラストラクチャ構成要素１６と通信する。第１の構成要素１６は好ましくは基地局（ＢＴＳ）であるが、基地局制御装置（ＢＳＣ）、移動スイッチングセンタ（ＭＳＣ）、衛星システムへのゲートウェイ、あるいは他のインフラストラクチャ構成要素により構成することもできる。任意のケースにおいて、第１の構成要素１６はワイヤレスデバイス１２と通信するのに必要なプロトコルおよびシステムをサポートするだけではなく、（付随プロトコルまたはＩＰプロトコルのスタックを含む）ＩＰをサポートし、したがって、構成要素１６はインフラストラクチャ１４と通信する。
【００１５】
インフラストラクチャ１４にはＩＰを使用するＢＳＣまたは他のＢＴＳが含まれていてもよい。従来のＢＳＣ機能がＢＴＳによりなされ、ＢＳＣを設ける必要はないことが好ましい。図１は電話機１２、１３と通信している単一のＢＴＳ１６を示しているが、各電話機１２、１３は別々の各ＢＴＳによりインフラストラクチャ１４を通して通信することができる。
【００１６】
インフラストラクチャ構成要素１６はＯＴＡプロトコルを使用してワイヤレス電話機１２、１３と通信するが、ＩＰを使用してインフラストラクチャ１４と内部的に通信し、それによりワイヤレス電話機１２、１３がＩＰとインターネットプロトコルによる音声のアテンダントスイートをサポートする必要をなくし、あるいはＩＰを実現することに関係する何らかの処理、リソースの使用などをサポートする必要をなくす。また、インフラストラクチャ１４に対して内部的にＩＰを使用し、電話機１２、１３とそれらの各ＢＴＳ１６との間にＯＴＡプロトコルを使用することにより、インフラストラクチャ１４に対して内部的にＩＰを使用する利点が実現される一方、電話機１２、１３へのワイヤレス通信にＯＴＡプロトコルを使用する利点は保たれ、システム１０の無線容量を最大にする。したがって、インフラストラクチャ構成要素（ＢＴＳ）１６は仮想ＩＰ端点と考えることができ、実際の通信端点は電話機１２、１３である。
【００１７】
ここで意図しているように、送信ワイヤレス電話機１２はインフラストラクチャ１４を使用して通信マネージャー２０と通信することができる。１つの制限されていない実施形態では、インフラストラクチャ１４と通信マネージャー２０との間の通信はこれには限定されないがインターネットのようなリンク２２を通して行われる。通信マネージャー２０は、技術的に知られている原理にしたがって一対多通信を管理する適切なデバイスである。この目的のために、通信マネージャー２０はグループデータベース２４にアクセスする。グループデータベース２４は電話機１２、１３の自己規定されたグループの識別子とメンバーシップを含む。１つの制限されていない実施形態では、通信マネージャー２０はＱＣｈａｔ通信マネージャーであってもよい。
【００１８】
本アーキテクチャの上記概略を心に留めると、本ロジックは以下で説明するフローチャートにしたがって図１に示されているアーキテクチャ上で実行されることを理解すべきであろう。ここでのフローチャートはコンピュータプログラムソフトウェアで具現化された本発明のロジックの構造を例示している。当業者はフローチャートが本発明にしたがって機能するコンピュータプログラムコードエレメントまたは電子ロジック回路のようなロジックエレメントの構造を例示していることを理解するであろう。明らかに、本発明はマシーン構成要素によりその本質的な実施形態で実施され、マシーン構成要素はデジタル処理装置（すなわちコンピュータ、制御装置、プロセッサなど）に、示されているのと対応する機能ステップのシーケンスを実行するように命令する形態にロジックエレメントを構成する。
【００１９】
言い換えると、ロジックはコンピュータプログラムにより具現化され、コンピュータプログラムは、一連のコンピュータまたは制御エレメント実行可能な命令として、例えばインフラストラクチャ構成要素１６および／または通信マネージャー２０内のプロセッサにより実行される。これらの命令は例えばＲＡＭに、またはハードドライブ、または光ドライブに存在していてもよく、あるいは命令は磁気テープ、電子読み取り専用メモリ、またはダイナミックに変更または更新することができる他の適切なデータ記憶デバイス上に記憶してもよい。
【００２０】
図２を参照すると、本発明のロジックを見ることができる。ブロック２６で開始し、電話機１２のユーザは電話機１２上のハードウェアまたはソフトウェア構成された“送信”ボタン２８を押下することができる。ボタン２８は制限されていない例として“送信”ボタンのような、一対多通信に対して使用される何らかの適切な電話機ボタンとすることができる。一対多サービスにより電話機１２が複数グループに属することができるようにするとき、ユーザは技術的に知られている一対多通信原理にしたがって所望グループを最初に選択することができることも理解すべきである。
【００２１】
任意のケースにおいて、送信ボタンが押下されるとき、ブロック３０において“送信”信号が構成要素１６に送信される。電話機１２がデータサービスに対するＩＰをサポートしているケースでは、送信ボタンを押下すると、電話機１２がインフラストラクチャに対して信号を発行することをシミュレーションすることができ、これはＩＰにカプセル化されていないＯＴＡプロトコルを使用して音声通信が以下に説明するように確実になされるようにする。
【００２２】
送信信号は、一対多セッションに入ったと考えらることをシグナリングするために使用される任意の適切な信号とすることができる。例えば、送信信号はＣＤＭＡシグナリングメッセージとすることができ、このメッセージは、一対多通信を要求することを示し、電話機１２の制御キーを適切に操作することによりユーザに示される、送信電話機１２と含まれていると考えられる一対多グループとを識別する。
【００２３】
ブロック３１において、送信信号は第１の構成要素１６（例えばＢＴＳ）により受信され、１つの制限されていない実施形態では、そこでＩＰに変換され、インフラストラクチャ１４を通して送信される。１つの例示的で、制限されていない実施形態では、ブロック３１におけるプロセスには、例えばＩＳ−９５プロトコルで電話機１２からＣＤＭＡプロトコル一対多発信メッセージを受信し、それに応答して、技術的に知られている原理にしたがってＩＰベースセッション開始プロトコル（ＳＩＰ）メッセージを第１の構成要素１６から通信マネージャー２０のような他の適切な構成要素に送信することにより、本質的に一対多発信メッセージをＩＰに変換することが含まれていてもよい。
【００２４】
次に、ブロック３２において、通信マネージャー２０は一対多要求を受信して、話すための送信電話機１２の優先順位を確立する。また、通信マネージャー２０はデータベース２４にアクセスして、シグナリングメッセージ中の情報により示されている、グループ中の個々の受信電話機１３を識別する。グループメンバーに対する通信チャネルは先に言及したＳＩＰメッセージを使用してインフラストラクチャ１４内で確立され、これは例えば図１に示されている簡単化された実施形態中の第１の構成要素１６（例えばＢＴＳ）を通して、あるいは他のＢＴＳを通してのように、各ＩＰ端点を通して意図されている受信電話機１３との通信を確立する。
【００２５】
ユーザは電話機１２で話しを行い、ブロック３４で電話機１２においてＣＤＭＡ音声パケットのような時間ＯＴＡ音声パケットが発生され、ＩＰでカプセル化することなく送信する。ブロック３６において、ＯＴＡ音声パケットは第１の構成要素１６、すなわちＩＰ端点において受信され、ＩＰに変換される。この変換を行うために、ＯＴＡ音声パケットの内容はＩＰパケット要求に適合させるために適切に並べ替えられる。一般的に、ＯＴＡ音声パケットはＩＰパケットよりも小さく、ＩＰパケットのヘッダよりも小さいことが多いことから、いくつかのＯＴＡパケットが単一のＩＰパケットに組み合わされる。しかしながら、これは特に待ち時間が多い応用に対するケースには必要ではないかもしれない。インフラストラクチャにおいてＩＰにカプセル化する利点の１つは、帯域幅使用が懸念事項となることがめったになくなることや、個々の音声フレームがＩＰにそれぞれカプセル化されることである。さらに、よく知られているＩＰヘッダ圧縮技術を使用してヘッダのサイズを減少させることができる。
【００２６】
ブロック３８において、ＩＰ中の情報はインフラストラクチャ１４を通して通信マネージャー２０に送信される。ブロック４０に移ると、通信マネージャー２０は必要に応じてパケットをグループ中の各受信電話機１３に対してそれぞれ１つコピーし、複製ＩＰパケットをグループ中の各受信電話機１３に対するＩＰアドレスに送信する。ＩＰパケットはインフラストラクチャ１４を通して、受信電話機１３と通信している適切なＩＰ端点（例えばＢＴＳ）にルーティングされる。
【００２７】
各受信電話機１３に対するＩＰ端点（例えばＢＴＳ）において、送信電話機１２からの音声情報を表すＩＰパケットはブロック４２でＯＴＡパケットに変換される。図１に示されている簡単化された実施形態では、第１の構成要素１６は送信電話機１２と受信電話機１３の両方に対するＩＰ端点として機能する。ブロック４４においてＯＴＡパケットは受信電話機１３に送信される。ＩＰからＯＴＡプロトコルへの変換はＩＰパケットへＯＴＡパケットを変換するプロセスの逆である。すなわち各ＩＰパケットは受信電話機１３により使用されるＯＴＡプロトコルに適合させるために、適切なように１セットのより小さいＯＴＡパケットに分離される。
【００２８】
通信マネージャー２０はまた半二重セッション、すなわち単一の電話機１２、１３のみが一度に音声パケットを送信することができる通信セッションを確立するために電話機１２、１３間を調停する。この調停は技術的に知られている手段により行うことができる。例えば、送信電話機１２のユーザが送信ボタン２８を押さえつけるときに、グループ中の他の電話機１３はユーザがボタンを開放するまでＯＴＡパケットを送信することを許されない。そして、受信電話機１３の１人のユーザは送信ボタンを押下して、押さえつけて上記で説明した原理にしたがって話すことができる。
【００２９】
ここで示されて詳細に説明されている特定の有用なＣＤＭＡ一対多サービスは、本発明の上述の目的を完全に達成することができるが、これは本発明の現在好ましい実施形態であり、したがって本発明により広く企図されている主題を表しており、本発明の範囲は当業者に明らかになる他の実施形態を完全に含んでおり、本発明の範囲は特許請求の範囲以外の何ものにも限定されず、単数のエレメントへの言及は明示的にそのように述べられていない限り“１つおよび唯一”を意味することを意図しているものではなく、。むしろ“１つまたはそれより多く”を意図していることを理解すべきである。当業者に知られており、または後に知られることになる上述した好ましい実施形態のエレメントに対するすべての構造的および機能的な均等物は明示的に参照によりここに組み込まれており、本特許請求の範囲により含まれることが意図されている。さらに、本発明により解決されていると考えられている各およびすべての問題を取り扱うデバイスまたは方法が本特許請求の範囲により含まれている必要はない。さらに、この開示におけるエレメント、構成要素または方法ステップは、エレメント、構成要素または方法ステップが明示的に特許請求の範囲に記載されているいないにかかわらず、公衆に捧げられていることを意図しているものではない。ここでの特許請求の範囲エレメントは、エレメントが“ミーンズーフォー”フレーズを使用して明示的に表現されているか、あるいは方法請求項のケースにおいて、“行為”の代わりに“ステップ”でエレメントが記載されていない限り、米国特許法第１１２条第６パラグラフの条項のもとで解釈されるべきではない。
【図面の簡単な説明】
【００３０】
【図１】図１は現在好ましい一対多ワイヤレス通信システムのブロック図である。
【図２】図２は本ロジックのフローチャートである。
【図１】
2004535729.tif 000003
【図２】
2004535729.tif 000004
【国際公開パンフレット】
2004535729.tif 000005
2004535729.tif 000006
2004535729.tif 000007
2004535729.tif 000008
2004535729.tif 000009
2004535729.tif 000010
2004535729.tif 000011
2004535729.tif 000012
2004535729.tif 000013
2004535729.tif 000014
2004535729.tif 000015
2004535729.tif 000016
2004535729.tif 000017
2004535729.tif 000018
2004535729.tif 000019
2004535729.tif 000020
2004535729.tif 000021
【国際調査報告】
2004535729.tif 000022
2004535729.tif 000023
2004535729.tif 000024